(57)【要約】【課題】予め登録された通信事業者以外の通信事業者を一時的に利用して通信を行うことができる通信端末を提供すること。【解決手段】携帯電話機１は、制御部２１により、携帯電話機１に所定のＩＣカードが予め関連付けられていることにより所定のＩＣカードと異なるＩＣカードの使用が制限されている状態において、第１通信処理部１５、第２通信処理部１６又はＧＰＳ受信部１７から所定の信号を受信すると、当該所定の信号に基づいて携帯電話機１が所定のエリア外に存在するか否かを判定し、所定のエリア外に存在すると判定した場合に、所定のＳＩＭカードと異なるＳＩＭカードの使用の制限を解除する。【選択図】図１
2013243533.tif 000002
【特許請求の範囲】
【請求項１】
個人を認証するためのＩＣカードを用いて通信可能な通信端末であって、
外部装置から信号を受信する受信部と、
前記通信端末に所定のＩＣカードが予め関連付けられていることにより前記所定のＩＣカードと異なるＩＣカードの使用が制限されている状態において、前記受信部により所定の信号を受信すると、当該所定の信号に基づいて前記通信端末が所定のエリア外に存在するか否かを判定し、前記所定のエリア外に所在すると判定した場合に前記所定のＩＣカードと異なるＩＣカードの使用の制限を解除する制御部と、
を備える通信端末。
【請求項２】
前記制御部は、前記所定のＩＣカードと異なるＩＣカードの使用の制限を解除した後、所定時間経過したか否かを判定し、所定時間経過したと判定した場合に前記所定のＩＣカードと異なるＩＣカードの使用を再び制限する、
請求項１に記載の通信端末。
【請求項３】
前記制御部は、前記所定のＩＣカードと異なるＩＣカードの使用の制限が解除されている状態において前記受信部により所定の信号を受信すると、当該所定の信号に基づいて前記通信端末が所定のエリア外に存在するか否かを判定し、前記所定のエリア外に存在しないと判定した場合に前記所定のＩＣカードと異なるＩＣカードの使用を再び制限する、
請求項２に記載の通信端末。
【請求項４】
エリア情報を予め記憶するエリア情報記憶部を備え、
前記受信部は、ＧＰＳ測位により基づいた位置情報に関する信号を受信し、
前記制御部は、前記所定のＩＣカードと異なるＩＣカードの使用が制限されている状態において、前記受信部により前記位置情報に関する信号を受信すると、当該位置情報と、前記エリア情報記憶部に記憶されているエリア情報とに基づいて前記通信端末が前記所定のエリア外に存在するか否かを判定する、
請求項３に記載の通信端末。
【請求項５】
ネットワークアドレスの識別情報を予め記憶するアドレス情報記憶部を備え、
前記受信部は、ネットワークアドレスの識別情報に関する信号を受信し、
前記制御部は、前記所定のＩＣカードと異なるＩＣカードの使用が制限されている状態において、前記受信部によりネットワークアドレスの識別情報に関する信号を受信すると、当該ネットワークアドレスの識別情報と、前記アドレス情報記憶部に記憶されているネットワークアドレスの識別情報とに基づいて前記通信端末が前記所定のエリア外に存在するか否かを判定する、
請求項４に記載の通信端末。
【請求項６】
前記制御部は、前記所定のＩＣカードと異なるＩＣカードの使用が制限されている状態において前記受信部により前記位置情報に関する信号を受信できなかった場合、前記受信部により受信したネットワークアドレスの識別情報と、前記アドレス情報記憶部に記憶されているネットワークアドレスの識別情報とに基づいて前記通信端末が前記所定のエリア外に存在するか否かを判定する、
請求項５に記載の通信端末。
【請求項７】
通信事業者の識別コードを予め記憶する通信事業者コード記憶部を備え、
前記受信部は、通信事業者の識別コードに関する信号を受信し、
前記制御部は、前記所定のＩＣカードと異なるＩＣカードの使用が制限されている状態において、前記受信部により前記通信事業者の識別コードに関する信号を受信すると、当該通信事業者の識別コードと、前記通信事業者コード記憶部に記憶されている通信事業者の識別コードとに基づいて前記通信端末が所定のエリア外に存在するか否かを判定する、
請求項６に記載の通信端末。
【請求項８】
前記制御部は、前記所定のＩＣカードと異なるＩＣカードの使用が制限されている状態において、前記受信部により前記位置情報に関する信号と、前記ネットワークアドレスの識別情報とを受信できなかった場合に、前記受信部により受信した通信事業者の識別コードと、前記通信事業者コード記憶部に記憶されている通信事業者の識別コードとに基づいて前記通信端末が所定のエリア外に存在するか否かを判定する、
請求項７に記載の通信端末。
【請求項９】
個人を認証するためのＩＣカードを用いて通信可能な通信端末であって、
外部装置から信号を受信する受信部と、
前記通信端末に所定のＩＣカードが予め関連付けられていることにより前記所定のＩＣカードと異なるＩＣカードの使用が制限されている状態において、前記受信部により所定の信号を受信すると、当該所定の信号に基づいて前記通信端末が所定のエリア内に存在するか否かを判定し、前記所定のエリア内に所在すると判定した場合に前記所定のＩＣカードと異なるＩＣカードの使用の制限を解除する制御部と、
を備える通信端末。
【発明の詳細な説明】
【技術分野】
【０００１】
本発明は、個人を認証するためのＩＣカードを用いて通信可能な通信端末に関する。
【背景技術】
【０００２】
通信端末にはＳＩＭ（Ｓｕｂｓｃｒｉｂｅｒ  Ｉｄｅｎｔｉｔｙ  Ｍｏｄｕｌｅ）カード、ＵＩＭ（Ｕｓｅｒ  Ｉｄｅｎｔｉｔｙ  Ｍｏｄｕｌｅ）カード、又はＵＳＩＭ（Ｕｎｉｖｅｒｓａｌ  ＳＩＭ）カード等のＩＣカードが装着されている。これらのＩＣカードには、例えば、利用者が契約している通信事業者の情報及び利用者の電話番号等が記憶されている。
【０００３】
通信端末では、例えば、ＵＩＭロック又はＳＩＭロック等のロック制御が行われているものがある（例えば、特許文献１参照）。例えばＳＩＭロックは、通信端末において予め登録された通信事業者の情報と、当該通信端末に装着されたＩＣカードに記憶されている通信事業者の情報とが一致する場合に当該通信端末の使用を許可するものである。
【先行技術文献】
【特許文献】
【０００４】
【特許文献１】特開２０１１−２２１６７８号公報
【発明の概要】
【発明が解決しようとする課題】
【０００５】
ところで、ＳＩＭロックが行われている通信端末は、予め登録された通信事業者を必ず介して通信を行う必要がある。例えば、利用者が、ＳＩＭロックが行われている通信端末を持参して異なる国に行った場合に、より安価に通信できる通信事業者があったとしても、当該通信端末は、当該通信事業者を利用した通信を行うことができなかった。
【０００６】
予め登録された通信事業者以外の通信事業者を一時的に利用して通信を行うことができる通信端末を提供することを目的とする。
【課題を解決するための手段】
【０００７】
本発明に係る通信端末は、個人を認証するためのＩＣカードを用いて通信可能な通信端末であって、外部装置から信号を受信する受信部と、前記通信端末に所定のＩＣカードが予め関連付けられていることにより前記所定のＩＣカードと異なるＩＣカードの使用が制限されている状態において、前記受信部により所定の信号を受信すると、当該所定の信号に基づいて前記通信端末が所定のエリア外に存在するか否かを判定し、前記所定のエリア外に所在すると判定した場合に前記所定のＩＣカードと異なるＩＣカードの使用の制限を解除する制御部と、を備える。
【０００８】
また、本発明に係る通信端末では、前記制御部は、前記所定のＩＣカードと異なるＩＣカードの使用の制限を解除した後、所定時間経過したか否かを判定し、所定時間経過したと判定した場合に前記所定のＩＣカードと異なるＩＣカードの使用を再び制限することが好ましい。
【０００９】
また、本発明に係る通信端末では、前記制御部は、前記所定のＩＣカードと異なるＩＣカードの使用の制限が解除されている状態において前記受信部により所定の信号を受信すると、当該所定の信号に基づいて前記通信端末が所定のエリア外に存在するか否かを判定し、前記所定のエリア外に存在しないと判定した場合に前記所定のＩＣカードと異なるＩＣカードの使用を再び制限することが好ましい。
【００１０】
また、本発明に係る通信端末は、エリア情報を予め記憶するエリア情報記憶部を備え、前記受信部は、ＧＰＳ測位により基づいた位置情報に関する信号を受信し、前記制御部は、前記所定のＩＣカードと異なるＩＣカードの使用が制限されている状態において、前記受信部により前記位置情報に関する信号を受信すると、当該位置情報と、前記エリア情報記憶部に記憶されているエリア情報とに基づいて前記通信端末が前記所定のエリア外に存在するか否かを判定することが好ましい。
【００１１】
また、本発明に係る通信端末は、ネットワークアドレスの識別情報を予め記憶するアドレス情報記憶部を備え、前記受信部は、ネットワークアドレスの識別情報に関する信号を受信し、前記制御部は、前記所定のＩＣカードと異なるＩＣカードの使用が制限されている状態において、前記受信部によりネットワークアドレスの識別情報に関する信号を受信すると、当該ネットワークアドレスの識別情報と、前記アドレス情報記憶部に記憶されているネットワークアドレスの識別情報とに基づいて前記通信端末が前記所定のエリア外に存在するか否かを判定することが好ましい。
【００１２】
また、本発明に係る通信端末では、前記制御部は、前記所定のＩＣカードと異なるＩＣカードの使用が制限されている状態において前記受信部により前記位置情報に関する信号を受信できなかった場合、前記受信部により受信したネットワークアドレスの識別情報と、前記アドレス情報記憶部に記憶されているネットワークアドレスの識別情報とに基づいて前記通信端末が前記所定のエリア外に存在するか否かを判定することが好ましい。
【００１３】
また、本発明に係る通信端末は、通信事業者の識別コードを予め記憶する通信事業者コード記憶部を備え、前記受信部は、通信事業者の識別コードに関する信号を受信し、前記制御部は、前記所定のＩＣカードと異なるＩＣカードの使用が制限されている状態において、前記受信部により前記通信事業者の識別コードに関する信号を受信すると、当該通信事業者の識別コードと、前記通信事業者コード記憶部に記憶されている通信事業者の識別コードとに基づいて前記通信端末が所定のエリア外に存在するか否かを判定することが好ましい。
【００１４】
また、本発明に係る通信端末では、前記制御部は、前記所定のＩＣカードと異なるＩＣカードの使用が制限されている状態において、前記受信部により前記位置情報に関する信号と、前記ネットワークアドレスの識別情報とを受信できなかった場合に、前記受信部により受信した通信事業者の識別コードと、前記通信事業者コード記憶部に記憶されている通信事業者の識別コードとに基づいて前記通信端末が所定のエリア外に存在するか否かを判定することが好ましい。
【００１５】
本発明に係る通信端末は、個人を認証するためのＩＣカードを用いて通信可能な通信端末であって、外部装置から信号を受信する受信部と、前記通信端末に所定のＩＣカードが予め関連付けられていることにより前記所定のＩＣカードと異なるＩＣカードの使用が制限されている状態において、前記受信部により所定の信号を受信すると、当該所定の信号に基づいて前記通信端末が所定のエリア内に存在するか否かを判定し、前記所定のエリア内に所在すると判定した場合に前記所定のＩＣカードと異なるＩＣカードの使用の制限を解除する制御部と、を備える。
【発明の効果】
【００１６】
本発明によれば、予め登録された通信事業者以外の通信事業者を一時的に利用して通信を行うことができる。
【図面の簡単な説明】
【００１７】
【図１】携帯電話機の構成を示すブロック図である。
【図２】携帯電話機の動作の流れを示すフローチャートである。
【図３】図２に続くフローチャートである。
【発明を実施するための形態】
【００１８】
本発明を実施するための実施形態を、図面を参照しつつ詳細に説明する。以下では、通信端末の一例として、携帯電話機１について説明する。
【００１９】
携帯電話機１は、図１に示すように、表示部１１と、操作部１２と、レシーバ１３と、マイク１４と、第１通信処理部１５と、第２通信処理部１６と、ＧＰＳ受信部（受信部）１７と、装着部１８と、記憶部２０と、制御部２１を備える。
【００２０】
表示部１１は、液晶ディスプレイ（Ｌｉｑｕｉｄ  Ｃｒｙｓｔａｌ  Ｄｉｓｐｌａｙ）又は有機液晶パネル（Ｏｒｇａｎｉｃ  Ｅｌｅｃｔｒｏ−Ｌｕｍｉｎｅｓｃｅｎｓｅ  ｐａｎｅｌ）等の表示デバイスにより構成されている。表示部１１には、文字、画像、記号又は図形等が表示される。
【００２１】
操作部１２は、複数のボタンから構成されており、利用者によって操作される。なお、操作部１２は、単一のボタンにより構成されていても良い。
レシーバ１３は、制御部２１から送信される音声信号を音声に変換して出力する。
マイク１４は、利用者等の音声を音声信号に変換して制御部２１に送信する。
【００２２】
第１通信処理部１５は、第１アンテナ１５ａと、第１通信部１５ｂとを備える。第１通信処理部１５によって行われる通信方式は、例えば、２Ｇ、３Ｇ、４Ｇ等のセルラーフォンの通信規格である。第１通信処理部１５は、基地局と通信する際に、第１アンテナ１５ａ及び第１通信部１５ｂを介して、当該基地局から、通信事業者の識別信号を示す信号を受信する。
【００２３】
第２通信処理部１６は、第２アンテナ１６ａと、第２通信部１６ｂとを備える。第２通信処理部１６によって行われる通信方式は、例えば、ＩＥＥＥ８０２．１１に準拠する通信規格（ＷｉＦｉ）である。第２通信処理部１６は、外部装置から、ＷｉＦｉ信号を受信し、制御部２１に供給する。この信号には、携帯電話機１のネットワークアドレスの識別情報であるＩＰアドレスが含まれている。なお、第２通信処理部１６によって行われる通信方式は、ＩＰアドレスを用いた通信を行うものであれば、他の通信方式であってもよい。
【００２４】
ＧＰＳ受信部１７は、ＧＰＳアンテナ１７ａにより受信したＧＰＳ衛星からの所定周波数帯の電波信号を復調処理し、処理後の信号を制御部２１に供給する。この信号には、ＧＰＳ測位に基づいた位置情報が含まれている。この位置情報は、例えば、経度情報と緯度情報とによって構成されている。なお、ＧＰＳ受信部１７及びＧＰＳアンテナ１７ａの機能は、それぞれ、第１通信部１５ｂ及び第１アンテナ１５ａが担ってもよい。
【００２５】
装着部１８は、ＩＣカードとしてのＳＩＭ（Ｓｕｂｓｃｒｉｂｅｒ  Ｉｄｅｎｔｉｔｙ  Ｍｏｄｕｌｅ）カードを装着する。ＳＩＭカードは、電話番号及び契約者情報等の固有情報と、通信事業者の識別情報とを格納する認証用媒体である。ＳＩＭカードに記憶されている各種情報の使用は、後述の制御部２１によって制御される。なお、本実施形態では、ＩＣカードとして、ＳＩＭカードを用いた例について説明するが、ＳＩＭカードの代わりに、ＵＩＭ（Ｕｓｅｒ  Ｉｄｅｎｔｉｔｙ  Ｍｏｄｕｌｅ）カード、ＵＳＩＭ（Ｕｎｉｖｅｒｓａｌ  ＳＩＭ）カードを用いてもよい。
【００２６】
ＳＩＭカード制御部１９は、後述の制御部２１の制御により、装着部１８に装着されたＳＩＭカードに記憶されている情報の読み取り、及び当該ＳＩＭカードに対する情報の書き込みを制御する。
【００２７】
また、ＳＩＭカード制御部１９は、記憶領域を有しており、所定のＳＩＭカードと異なるＳＩＭカードの使用を制限するか否か、すなわち、後述するＳＩＭロックを解除するか否かを判定するための解除フラグを記憶する。解除フラグがオンの場合、携帯電話機１は、ＳＩＭロックが解除されている状態となる。解除フラグがオフの場合、携帯電話機１は、ＳＩＭロックが行われている状態となる。なお、本実施形態では、ＳＩＭカード制御部１９の記憶領域に解除フラグを記憶させることとしたが、これに限らず、記憶部２０に記憶させるようにしてもよい。
【００２８】
記憶部２０は、例えば、制御部２１による演算処理に利用され、メモリ等によって構成される。記憶部２０は、携帯電話機１の内部で動作するアプリケーションを１又は複数記憶する。なお、記憶部２０は、着脱可能な外部メモリを兼ねていてもよい。
【００２９】
また、記憶部２０は、エリア情報記憶部として機能し、後述のＳＩＭロックが行われるエリア（所定のエリア）を示すエリア情報を予め記憶する。ここで、所定のエリアとは、所定のＳＩＭカードに対応する所定の通信事業者がサービスを提供するエリアのことをいう。本実施形態では、所定のエリアが、日本国内であるものとし、所定のエリア外とは、日本国外であるものとする。なお、所定のエリアの範囲は、国単位よりも小さい単位（例えば、地方ごと）であってもよい。
【００３０】
また、記憶部２０は、アドレス情報記憶部として機能し、後述のＳＩＭロックが行われるエリア（所定のエリア）に対応するネットワークアドレスの識別情報を予め複数記憶する。ネットワークアドレスの識別情報は、例えばＩＰアドレスである。また、記憶部２０は、通信事業者コード記憶部として機能し、所定のＳＩＭカードに対応する通信事業者の識別コード（事業者コード）、例えば、ＳＩＤ（Ｓｙｓｔｅｍ  ＩＤ）を予め記憶する。なお、本実施形態では、通信事業者の識別コードと、通信事業者の識別情報とは異なるものとして説明するが、これに限らず、同一の情報であってもよい。
【００３１】
制御部２１は、携帯電話機１の全体を制御しており、中央処理装置（ＣＰＵ）等を用いて構成される。なお、制御部２１の詳細については後述する。
【００３２】
ここで、制御部２１による、装着部１８に装着されたＳＩＭカードの使用の制限についての制御について説明する。ＳＩＭカードの使用の制限は、ＳＩＭロックを解除するか否かによって決定される。
【００３３】
ＳＩＭロックとは、携帯電話機１に所定のＳＩＭカードに関連する通信事業者が予め関連付けられていることにより、所定のＳＩＭカードに関連する通信事業者とは異なる通信事業者のＳＩＭカードの使用が制限されている状態をいう。ＳＩＭロックは、例えば、記憶部２０に対して予め所定のＳＩＭカードに記憶されている通信事業者の識別情報に基づいて、制御部２１が以下の処理を行うことによって実現される。すなわち、制御部２１は、記憶部２０に記憶されている通信事業者の識別情報と、装着部１８に装着されたＳＩＭカードに記憶されている通信事業者の識別情報とが一致する場合、当該ＳＩＭカードに記憶されている情報の使用を許可する。他方、制御部２１は、記憶部２０に記憶されている通信事業者の識別情報と、装着部１８に装着されたＳＩＭカードに記憶されている通信事業者の識別情報とが一致しない場合、当該ＳＩＭカードの使用を制限する。ＳＩＭカードの使用が制限されている場合、制御部２１は、例えば、当該ＳＩＭカードに記憶されている一部又は全ての情報を携帯電話機１において使用できないように制御する。
【００３４】
なお、本実施形態では、記憶部２０に記憶されている通信事業者の識別情報と、装着部１８に装着されたＳＩＭカードに記憶されている通信事業者の識別情報とが一致しない場合、ＳＩＭカードに記憶されている一部又は全ての情報を携帯電話機１において使用できないように制御したが、これに限らない。
【００３５】
例えば、記憶部２０に所定のＳＩＭカードに固有の識別情報を記憶させておき、当該識別情報と、装着部１８に装着されたＳＩＭカードの識別情報とが一致しない場合に、ＳＩＭカードに記憶されている一部又は全ての情報を携帯電話機１において使用できないように制御してもよい。また、制御部２１は、記憶部２０に記憶されている通信事業者の識別情報と、装着部１８に装着されたＳＩＭカードに記憶されている通信事業者の識別情報とが一致しない場合、携帯電話機１の機能の一部又は全てを使用できないように制御してもよい。
【００３６】
制御部２１は、携帯電話機１に所定のＳＩＭカードが予め関連付けられていることにより、所定のＳＩＭカードの使用が制限されている状態において、第１通信処理部１５、第２通信処理部１６又はＧＰＳ受信部１７から所定の信号を受信すると、当該所定の信号に基づいて携帯電話機１が所定のエリア外に存在するか否かを判定する。そして、制御部２１は、所定のエリア外に存在すると判定した場合に、所定のＳＩＭカードと異なるＳＩＭカードの使用の制限を解除する。所定のＳＩＭカードと異なるＳＩＭカードの使用の制限を解除する場合、制御部２１は、ＳＩＭカード制御部１９の記憶領域に記憶されている解除フラグをオンに設定する。以下、ＳＩＭカード制御部１９の記憶領域に記憶されている解除フラグをオンに設定して、所定のＳＩＭカードと異なるＳＩＭカードの使用の制限を解除することを、ＳＩＭロックを解除する、ともいう。
【００３７】
なお、第１通信処理部１５から所定の信号を受信する場合、所定の信号は、通信事業者の識別コードである。また、第２通信処理部１６から所定の信号を受信する場合、所定の信号は、ＩＰアドレスである。また、ＧＰＳ受信部１７から所定の信号を受信する場合、所定の信号は、位置情報に関する信号である。
【００３８】
より詳細な処理について、以下に説明する。
制御部２１は、電源がオンになった場合に、ＳＩＭロック中である場合、ＧＰＳ受信部１７から受信した信号から、位置情報を抽出する。続いて、制御部２１は、抽出された位置情報と、記憶部２０に記憶されているエリア情報とに基づいて、携帯電話機１が所定のエリア外に存在するか否かを判定する。続いて、制御部２１は、所定のエリア外に存在すると判定した場合に、ＳＩＭロックを解除する。
【００３９】
このようにすることで、携帯電話機１は、ＧＰＳ信号を用いて携帯電話機１が所定のエリア外に存在するか否かを判定することができる。
【００４０】
また、制御部２１は、第２通信処理部１６を介して、外部装置から、携帯電話機１に割り当てられたＩＰアドレスに関する信号を受信すると、当該ＩＰアドレスと、記憶部２０に記憶されている複数のＩＰアドレスとに基づいて、携帯電話機１が所定のエリア外に存在するか否かを判定する。例えば、制御部２１は、携帯電話機１に割り当てられたＩＰアドレスの先頭から所定数の値が、記憶部２０に記憶されている複数のＩＰアドレスの先頭から所定数の値と一致しない場合に、携帯電話機１が所定のエリア外に存在すると判定する。続いて、制御部２１は、所定のエリア外に存在すると判定した場合に、ＳＩＭロックを解除する。なお、本実施形態では、制御部２１は、第２通信処理部１６を介して、外部装置から、携帯電話機１に割り当てられたＩＰアドレスに関する信号を受信することとしたが、これに限らない。例えば、制御部２１は、第１通信処理部１５を介して、外部装置から、携帯電話機１に割り当てられたＩＰアドレスに関する信号を受信するようにしてもよい。
【００４１】
このようにすることで、携帯電話機１は、ＧＰＳ信号を受信できなかった場合であっても、携帯電話機１に割り当てられたＩＰアドレスに基づいて携帯電話機１が所定のエリア外に存在するか否かを判定することができる。
【００４２】
ここで、制御部２１は、ＳＩＭロック中に、ＧＰＳ受信部１７から位置情報に関する信号を受信できなかった場合に、第２通信処理部１６により受信したＩＰアドレスと、記憶部２０に記憶されている複数のＩＰアドレスとに基づいて、携帯電話機１が所定のエリア外に存在するか否かを判定することが好ましい。
【００４３】
ＧＰＳ受信部１７から受信した位置情報に関する信号を用いた判定は、第２通信処理部１６により受信したＩＰアドレスを用いた判定に比べて精度が高い。そこで、位置情報に関する信号を用いた判定を優先することによって、携帯電話機１は、自身が所定のエリア外に存在するか否かについて、精度よく判定することができる。
【００４４】
また、制御部２１は、ＳＩＭロック中に、第１通信処理部１５を介して、基地局から通信事業者の識別コードに関する信号を受信すると、当該通信事業者の識別コードと、記憶部２０に記憶されている通信事業者の識別コードとに基づいて、携帯電話機１が所定のエリア外に存在するか否かを判定する。続いて、制御部２１は、所定のエリア外に存在すると判定した場合に、ＳＩＭロックを解除する。
【００４５】
なお、携帯電話機１は、記憶部２０に対して、所定のエリア内で通信サービスを行う複数の通信事業者それぞれの識別情報を記憶させるようにしてもよい。このような構成において、制御部２１は、第１通信処理部１５を介して基地局から受信した通信事業者の識別コードに関する信号が、記憶部２０に記憶されている複数の通信事業者それぞれの識別コードと一致しない場合に、携帯電話機１が所定のエリア外に存在すると判定するようにしてもよい。
【００４６】
ここで、制御部２１は、ＳＩＭロック中に、位置情報に関する信号とＩＰアドレスとを受信できなかった場合に、第１通信処理部１５により受信した通信事業者の識別コードと、記憶部２０に記憶されている通信事業者の識別コードとに基づいて、携帯電話機１が所定のエリア外に存在するか否かを判定することが好ましい。
【００４７】
第２通信処理部１６により受信したＩＰアドレスを用いた判定は、第１通信処理部１５により受信した通信事業者の識別コードを用いた判定に比べて精度が高い。そこで、通信事業者の識別コードを用いた判定に比べて、ＩＰアドレスを用いた判定を優先することによって、携帯電話機１は、自身が所定のエリア外に存在するか否かについて、精度よく判定することができる。
【００４８】
また、制御部２１は、携帯電話機１の電源がオフからオンになった場合に、上述したＳＩＭロックを解除するか否かについての制御を行う。
また、制御部２１は、所定のＳＩＭカードと異なるＳＩＭカードの使用の制限を解除した後、所定時間経過したか否かを判定し、所定時間経過したと判定した場合に所定のＳＩＭカードと異なるＳＩＭカードの使用を再び制限する。
【００４９】
例えば、制御部２１は、ＳＩＭロックを解除すると共に、ＳＩＭロックを解除した時刻を特定する。そして、制御部２１は、当該時刻を記憶部２０に記憶させる。その後、制御部２１は、記憶部２０に記憶されている当該時刻から所定時間経過したか否かを判定する。制御部２１は、所定時間経過したと判定した場合に、ＳＩＭカード制御部１９の記憶領域に記憶されている解除フラグをオンに設定して、ＳＩＭロックを行う。
【００５０】
これにより、所定のＳＩＭカードと異なるＳＩＭカードの使用が、再び制限される。
よって、使用者が、携帯電話機１を所定のエリア外に移動させてそのまま所定のエリア外で使い続けようとした場合であっても、所定時間経過後に、所定のＳＩＭカードと異なるＳＩＭカードの使用を制限する。このようにすることで、携帯電話機１は、利用者が所定のエリア外でＳＩＭロックを解除し、恒久的に携帯電話機１を使用する行為を防止することができる。
【００５１】
また、制御部２１は、ＳＩＭロックが解除されている状態において、第１通信処理部１５、第２通信処理部１６又はＧＰＳ受信部１７から、所定の信号を受信すると、当該所定の信号に基づいて携帯電話機１が所定のエリア外に存在するか否かを判定し、所定のエリア外に存在しないと判定した場合に、所定のＳＩＭカードと異なるＳＩＭカードの使用を再び制限する。
【００５２】
よって、使用者が、携帯電話機１を所定のエリア外に移動させた後、所定のエリア内に移動させた場合であっても、携帯電話機１は、所定のＳＩＭカードと異なるＳＩＭカードの使用を制限する。このようにすることで、携帯電話機１は、利用者がＳＩＭロックを解除するために携帯電話機１を一時的に所定のエリア外に移動させる行為を防止することができる。
【００５３】
つぎに、携帯電話機１の動作の流れについて、図２及び図３に示すフローチャートを参照しながら説明する。なお、以下の実施例では、携帯電話機１の電源がオフからオンになった場合に行うものとして説明する。
【００５４】
ステップＳＴ１において、制御部２１は、ＳＩＭロック中か否かを判定する。制御部２１は、この判定がＹＥＳの場合、ステップＳＴ２に処理を移し、この判定がＮＯの場合、図３のステップＳＴ１２に処理を移す。
【００５５】
ステップＳＴ２において、制御部２１は、装着部１８に所定のＳＩＭカードが装着されたか否かを判定する。制御部２１は、この判定がＹＥＳの場合、本フローチャートの処理を終了し、この判定がＮＯの場合、ステップＳＴ３に処理を移す。
【００５６】
ステップＳＴ３において、制御部２１は、ＧＰＳ受信部１７による位置情報に関する信号の受信を試行し、位置情報に関する信号を受信できたか否かを判定する。制御部２１は、この判定がＹＥＳの場合、ステップＳＴ４に処理を移し、この判定がＮＯの場合、ステップＳＴ６に処理を移す。
【００５７】
ステップＳＴ４において、制御部２１は、位置情報に関する信号と、記憶部２０に記憶されているエリア情報とに基づいて、携帯電話機１が所定のエリア外に存在するか否かを判定する。制御部２１は、この判定がＹＥＳの場合、ステップＳＴ５に処理を移し、この判定がＮＯの場合、本フローチャートの処理を終了する。
【００５８】
ステップＳＴ５において、制御部２１は、ＳＩＭカード制御部１９の記憶領域に記憶されている解除フラグをオンに設定して、ＳＩＭロックを解除する。ここで、制御部２１は、ＳＩＭロックを解除した時刻を記憶部２０に記憶させる。制御部２１は、この処理が終了すると、本フローチャートの処理を終了する。
【００５９】
ステップＳＴ６において、制御部２１は、第２通信処理部１６によるＩＰアドレスの受信を試行し、ＩＰアドレスを受信できたか否かを判定する。制御部２１は、この判定がＹＥＳの場合、ステップＳＴ７に処理を移し、この判定がＮＯの場合、ステップＳＴ９に処理を移す。
【００６０】
ステップＳＴ７において、制御部２１は、受信したＩＰアドレスと、記憶部２０に記憶されている複数のＩＰアドレスとに基づいて、携帯電話機１が所定のエリア外に存在するか否かを判定する。制御部２１は、この判定がＹＥＳの場合、ステップＳＴ８に処理を移し、この判定がＮＯの場合、本フローチャートの処理を終了する。
【００６１】
ステップＳＴ８において、制御部２１は、ＳＩＭカード制御部１９の記憶領域に記憶されている解除フラグをオンに設定して、ＳＩＭロックを解除する。ここで、制御部２１は、ＳＩＭロックを解除した時刻を記憶部２０に記憶させる。制御部２１は、この処理が終了すると、本フローチャートの処理を終了する。
【００６２】
ステップＳＴ９において、制御部２１は、第１通信処理部１５による通信事業者の識別コードの受信を試行し、通信事業者の識別コードを受信できたか否かを判定する。制御部２１は、この判定がＹＥＳの場合、ステップＳＴ１０に処理を移し、この判定がＮＯの場合、本フローチャートの処理を終了する。
【００６３】
ステップＳＴ１０において、制御部２１は、受信した通信事業者の識別コードと、記憶部２０に記憶されている通信事業者の識別コードとに基づいて、携帯電話機１が所定のエリア外に存在するか否かを判定する。制御部２１は、この判定がＹＥＳの場合、ステップＳＴ１１に処理を移し、この判定がＮＯの場合、本フローチャートの処理を終了する。
【００６４】
ステップＳＴ１１において、制御部２１は、ＳＩＭカード制御部１９の記憶領域に記憶されている解除フラグをオンに設定して、ＳＩＭロックを解除する。ここで、制御部２１は、ＳＩＭロックを解除した時刻を記憶部２０に記憶させる。制御部２１は、この処理が終了すると、本フローチャートの処理を終了する。
【００６５】
図３に説明を移す。ステップＳＴ１２において、制御部２１は、記憶部２０に記憶されているＳＩＭロックを解除した時刻を参照し、当該時刻から所定時間経過したか否かを判定する。制御部２１は、この判定がＹＥＳの場合、本フローチャートの処理を終了し、この判定がＮＯの場合、ステップＳＴ１３に処理を移す。
【００６６】
ステップＳＴ１３において、制御部２１は、装着部１８に所定のＳＩＭカードが装着されたか否かを判定する。制御部２１は、この判定がＹＥＳの場合、本フローチャートの処理を終了し、この判定がＮＯの場合、ステップＳＴ１４に処理を移す。
【００６７】
ステップＳＴ１４において、制御部２１は、ＧＰＳ受信部１７による位置情報に関する信号の受信を試行し、位置情報に関する信号を受信できたか否かを判定する。制御部２１は、この判定がＹＥＳの場合、ステップＳＴ１５に処理を移し、この判定がＮＯの場合、ステップＳＴ１７に処理を移す。
【００６８】
ステップＳＴ１５において、制御部２１は、位置情報に関する信号と、記憶部２０に記憶されているエリア情報とに基づいて、携帯電話機１が所定のエリア外に存在するか否かを判定する。制御部２１は、この判定がＹＥＳの場合、本フローチャートの処理を終了し、この判定がＮＯの場合、ステップＳＴ１６に処理を移す。
【００６９】
ステップＳＴ１６において、制御部２１は、ＳＩＭカード制御部１９の記憶領域に記憶されている解除フラグをオフに設定して、ＳＩＭロックを行う。制御部２１は、この処理が終了すると、本フローチャートの処理を終了する。
【００７０】
ステップＳＴ１７において、制御部２１は、第２通信処理部１６によるＩＰアドレスの受信を試行し、ＩＰアドレスを受信できたか否かを判定する。制御部２１は、この判定がＹＥＳの場合、ステップＳＴ１８に処理を移し、この判定がＮＯの場合、ステップＳＴ２０に処理を移す。
【００７１】
ステップＳＴ１８において、制御部２１は、受信したＩＰアドレスと、記憶部２０に記憶されている複数のＩＰアドレスとに基づいて、携帯電話機１が所定のエリア外に存在するか否かを判定する。制御部２１は、この判定がＹＥＳの場合、本フローチャートの処理を終了し、この判定がＮＯの場合、ステップＳＴ１９に処理を移す。
【００７２】
ステップＳＴ１９において、制御部２１は、ＳＩＭカード制御部１９の記憶領域に記憶されている解除フラグをオフに設定して、ＳＩＭロックを行う。制御部２１は、この処理が終了すると、本フローチャートの処理を終了する。
【００７３】
ステップＳＴ２０において、制御部２１は、第１通信処理部１５による通信事業者の識別コードの受信を試行し、通信事業者の識別コードを受信できたか否かを判定する。制御部２１は、この判定がＹＥＳの場合、ステップＳＴ２１に処理を移し、この判定がＮＯの場合、本フローチャートの処理を終了する。
【００７４】
ステップＳＴ２１において、制御部２１は、受信した通信事業者の識別コードと、記憶部２０に記憶されている通信事業者の識別コードとに基づいて、携帯電話機１が所定のエリア外に存在するか否かを判定する。制御部２１は、この判定がＹＥＳの場合、本フローチャートの処理を終了し、この判定がＮＯの場合、ステップＳＴ２２に処理を移す。
【００７５】
ステップＳＴ２２において、制御部２１は、ＳＩＭカード制御部１９の記憶領域に記憶されている解除フラグをオフに設定して、ＳＩＭロックを行う。制御部２１は、この処理が終了すると、本フローチャートの処理を終了する。
【００７６】
以上、本実施形態によれば、携帯電話機１は、制御部２１により、携帯電話機１に所定のＩＣカードが予め関連付けられていることにより所定のＩＣカードと異なるＩＣカードの使用が制限されている状態において、第１通信処理部１５、第２通信処理部１６又はＧＰＳ受信部１７から所定の信号を受信すると、当該所定の信号に基づいて携帯電話機１が所定のエリア外に存在するか否かを判定し、所定のエリア外に存在すると判定した場合に、所定のＳＩＭカードと異なるＳＩＭカードの使用の制限を解除する。
【００７７】
このように、携帯電話機１は、所定のエリア外に存在する場合に、予め登録された通信事業者以外の通信事業者を一時的に利用して通信を行うことができる。これにより、携帯電話機１は、所定のエリア外に存在する場合に、所定のＳＩＭカードに対応し、所定のエリア内のみにおいてサービスを提供する通信事業者の通信網を介することなく安価に通信を行うことができる。
【００７８】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００７９】
例えば、ＳＩＭロックが行われないエリアを所定のエリアとして、携帯電話機１が所定のエリア内に存在するか否かを判定し、所定のエリア内に所在すると判定した場合に所定のＳＩＭカードと異なるＳＩＭカードの使用の制限を解除するようにしてもよい。
【００８０】
すなわち、携帯電話機１に所定のＩＣカードが予め関連付けられていることにより所定のＩＣカードと異なるＩＣカードの使用が制限されている状態において、第１通信処理部１５、第２通信処理部１６又はＧＰＳ受信部１７から所定の信号を受信すると、当該所定の信号に基づいて携帯電話機１が所定のエリア内に存在するか否かを判定し、所定のエリア内に所在すると判定した場合に所定のＳＩＭカードと異なるＳＩＭカードの使用の制限を解除するようにしてもよい。
【００８１】
例えば、記憶部２０は、ＳＩＭロックが行われないエリアを示すエリア情報、ＳＩＭロックが行われないエリアに対応するネットワークアドレスの識別情報、及び所定のＳＩＭカードに対応しない所定の通信事業者の識別コードを所定のエリアとして予め記憶し、制御部２１が、これらの情報に基づいて所定のエリア内か否かを判定することで、ＳＩＭロックを解除するか否かの制御を行うこととしてもよい。
【符号の説明】
【００８２】
１  携帯電話機
１５  第１通信処理部
１６  第２通信処理部
１７  ＧＰＳ受信部
１８  装着部
１９  記憶部
２０  制御部
【図１】
2013243533.tif 000003
【図２】
2013243533.tif 000004
【図３】
2013243533.tif 000005